(57)【要約】【課題】本発明の課題は、壁面状緑化方式おいて、植栽生育に欠かせない日光と風雨が壁面状植栽部分に一定時間等しく得られるか。用いる植栽種類が多くできるか。そして植栽の剪定や養分補給、植栽の交換、散水などの保守管理がどれだけ容易に出来るかである。【解決手段】本発明解決手段は各植栽鉢棚を環状回転させる事によって、植栽鉢棚の部分終日日陰が避けられ、植栽生育に欠かせない日光と風雨が各段棚植栽に一定時間得られ、かつ、日光と風雨が常に一定時間等しく当る事により、用いようとする植物種類も多種多様に考えられる。また、植栽の剪定や養分補給、植栽の交換、散水などの保守管理も植栽鉢棚が環状回転する事で所定箇所に於いて容易に行える。【選択図】      図１
2004222706.tif 000002
【特許請求の範囲】
【請求項１】
四隅に環状回転用歯車を設置し、その両端歯車上下に回転を伝達する金属ベルトを噛み合わせ、その金属ベルトに横並列植栽鉢を保持する植栽鉢棚を一定の間隔で壁面状に吊り下げ、壁面状に連なった植栽鉢棚を環状回転させる壁面状緑化方式の環状回転植栽鉢棚段装置。
【請求項２】
上記装置の環状回転駆動装置動力電源に太陽光熱発電パネルや風力発電装置を用いて自動制御運転で環状回転させる装置。
【発明の詳細な説明】
【０００１】
【発明の属する技術分野】
本発明は、壁面状に吊り下げられた横並列植栽鉢棚を環状回転させることによって、植栽生育に欠かせない日光や風雨が各段棚植栽に一定時間等しく得られる事。用いる植栽種類が多くできる。そして植栽の剪定や養分補給、植栽の交換、散水などの保守管理が容易になる壁面状緑化方式の技術分野。
【０００２】
【従来の技術】
従来の壁面状緑化方式は、建物外壁面に固定した面状格子などに沿って、地盤面に植栽したツタ類主体の上に登る植物の壁面状緑化方式か、建物外壁面に大型の植栽箱鉢を設け、その箱鉢に植栽を植え、壁面状緑化する方法である。
【０００３】
【発明が解決しようとする課題】
本発明の課題は、壁面状緑化方式おいて、植栽生育に欠かせない日光と風雨が壁面状植栽部分に一定時間等しく得られるか。用いる植栽種類が多くできるか。そして植栽の剪定や養分補給、植栽の交換、散水などの保守管理がどれだけ容易に出来るかである。
【０００４】
【課題を解決するための手段】
かかる課題を解決するため本発明は、各植栽鉢棚を環状回転させる事によって、植栽鉢棚の部分終日日陰が避けられ、植栽生育に欠かせない日光と風雨が各段棚植栽に一定時間等しく得られ、かつ、日光と風雨が常に一定時間当る事により、用いようとする植物種類も多種多様に考えられる。また、植栽の剪定や養分補給、植栽の交換、散水などの保守管理も植栽鉢棚が環状回転する事で所定箇所に於いて容易に行える。
【０００５】
環状回転機構は、上下四箇所に反転防止機能が付いた歯車付金物を、取り付けようとする建物壁面支持部分に固定し、両端上下歯車に棚固定用金物付の歯車脱落防止機能型金属ベルトを噛み合わせ、その金属ベルトに、植木鉢棚を等間隔の壁面状で吊り下げる方式とする。
【０００６】
上記、装置の環状回転動力は植栽鉢棚が環状で等間隔の壁面状釣り合い配置であり、手動でも楽に環状回転させる事が出来るし、電動モーターを用いてもよい。又、電気線路を新たに引き込まなくても太陽光熱発電パネルや風力発電装置を用いて、自動制御の電動環状回転させる事も出来る。
【０００７】
【発明の実施の形態】
本発明の実施形態に基づいて説明する。図１は環状回転植栽鉢棚段装置構成斜図である。図２植栽鉢棚（Ａ）と（Ｂ）は形状の違いを示す図である。図３は環状回転植栽鉢棚段断面構成図（Ａ）と（Ｂ）は支持壁面と環状回転植栽鉢棚段装置との位置関係を示す。図４は建物中間階の支持壁面に取り付けたときの保守管理関係を示す。図５は環状回転金属ベルトと植栽鉢棚との接合詳細を示す。図６は農地などで、立体的に農作物を育成する為の自立型環状回転植栽鉢棚段装置で、各植栽鉢棚段面が水平回転し日光が一定時間得られる様に構成された図である。
【０００８】
図１は本装置全体構成図で、支持壁面２０に歯車５と組み合わされた保持金物６をあらかじめ決めた四隅に取り付ける。その四隅の上下歯車５に植栽鉢棚１を取り付けるための金物８のついた環状金属ベルト７を５に噛み合わせる。次に、１〜４迄組み合わされた植栽鉢棚ユニットを８に順次取り付けて行く。全て取り付け終わった後、植物２２を植えた鉢２を５に組み込みして行く。尚、棚ユニットの中に植栽鉢も一緒にセットした上で８に取り付けてもよい。又、環状釣り合いバランスを図りながら植栽鉢棚ユニットを取り付けて行けば、動力を用いず手回し棒９で環状回転させながら容易に組み立てが出来る。
【０００９】
図２（Ａ）（Ｂ）は植栽鉢棚ユニットの棚１部分の形状違いを示す。（Ａ）は溶接した金網を箱型形状折り曲げ加工し、その中に植栽鉢を入れた棚１タイプ。又、（Ｂ）は金属板を折り曲げ加工し、植栽鉢を保持する丸穴を開けた棚１タイプである。他に、１部分の材料や形状は植栽鉢を保持する安全性と保持機能を有すれば色々な材料や形状の物に置き換えられる。尚、棚つり材３は必ずしも必要とはしない。図３（Ａ）（Ｂ）は上記、植栽鉢棚ユニット（Ａ）（Ｂ）と支持壁面２０との環状回転の断面関係を示したものである。
【００１０】
図４は建物中間階の支持壁面２０に環状回転植栽鉢棚段装置を設置した時の断面図で、建物側に植栽鉢の交換や機械部分の保守管理が出来る通路があれば、何階部分でも高さを問わず設置できる。図５は環状金属ベルト７と７に取り付ける棚取付け金物８部分に植栽鉢棚ユニット部を取り付ける接合の詳細を示す。７に８をあらかじめ工場で取付け、５の歯車部分に７を噛み合わせ、植栽鉢棚１の重心が３より常に下がるようにボールベアリング組み込みリング４を３に通し、８の部分と３の部分を合わせ、８ｂのワッシャーを挟みこんで８ａのボルトで３と捻じ込み接合固定する。
【００１１】
図６は農地などで、立体的に農作物を育成する為の自立型環状回転植栽鉢棚段装置で、水平自動回転し各植栽鉢棚段面が日光を一定の時間浴びるように構成された図である。まず、基礎１８を水平に設置し、その上に自立支持構造体水平回転用機構組み込み円形鋼材１７を固定。１５と１６は環状回転植栽鉢棚段装置の取り付けよう支持構造体で１７の上に転倒脱落防止金物を水平回転の妨げにならぬよう設け固定する。１３の太陽光熱発電パネルと１４の風力発電装置で自動制御回転駆動装置の動力電源に用いるが、一般電源電線を引き込むことが容易であれば必ずしも１３や１４を用いなくても出来る。尚、１９の散水設備は渇水時に用いるが、１５と１６の構造体が水平回転する事と植栽鉢棚段が環状回転するので一箇所一段あれば植栽鉢棚全ての段に自動散水も出来る。
【００１２】
【発明の効果】
以上、説明したように、本発明の環状回転植栽鉢棚段装置は建物壁面状緑化に対して、植栽の生育条件を備え、かつ、用いようとする植栽の種類も多種多様に考えられ、植物の剪定や養分補給、植栽の交換、散水などの保守管理が極めて容易で、植栽鉢や棚も建物デザインや景観に合わせた形状で出来、農業・等の利用にも幅広く用いられる。
【図面の簡単な説明】
【図１】本発明に係る環状回転植栽鉢棚段装置斜図
【図２】本発明に係る植栽鉢棚形状（Ａ）と（Ｂ）断面及び斜図
【図３】本発明に係る環状回転植栽鉢棚段断面構成図（Ａ）（Ｂ）
【図４】本発明に係る環状回転植栽鉢棚段装置支持壁面取付け断面構成図
【図５】本発明に係る環状回転金属ベルト部詳細斜図
【図６】本発明に係る水平自動回転自立型環状回転植栽鉢棚段装置斜図
【符号の説明】
１    植栽棚
１ａ  鉢落し穴
２    金属ワイヤー
３    棚つり材
４    ボールベアリング組み込みリング
５    歯車
６    反転防止付歯車保持金物
７    金属ベルト
８    金属ベルト付棚取付け金物
８ａ  ボルト
８ｂ  ワッシャー
９    手動用手回し棒
１０    電動モーター
１１    変換伝達歯車内臓金物
１２    動力伝達軸
１３    太陽光熱発電パネル
１４    風力発電装置
１５    自立支持鋼材
１６    自立支持斜鋼材
１７    自立支持構造体水平回転用機構組み込み円形鋼材
１８    基礎
１９    散水設備
２０    支持壁面
２１    植栽鉢
２２    植栽
【図１】
2004222706.tif 000003
【図２】
2004222706.tif 000004
【図３】
2004222706.tif 000005
【図４】
2004222706.tif 000006
【図５】
2004222706.tif 000007
【図６】
2004222706.tif 000008